Podtech/llm-jp-corpus-v4-ja_patent huggingface dataset:
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
文書画像中の文字間の距離を変更することで、情報を埋め込む画像処理装置であって、
前記文書画像中のテキスト領域を判別する判別手段と、
該判別手段により判別されたテキスト領域内の各文字の外接矩形を抽出する外接矩形抽出手段と、
抽出した各外接矩形の位置とサイズに基づいて、文字間の距離が閾値より小さい部位が有るか否かを判定する判定手段と、
該判定手段で前記閾値より小さいと判定された部位の前記文字間の距離を前記閾値以上とすべく、少なくとも当該文字の並び方向のサイズを縮小する縮小手段と、
前記判定手段で前記閾値以上と判定された部位の文字、及び前記縮小手段による縮小後の文字の位置を、埋め込み対象の情報に従って変更する文字位置変更手段と、
を備えることを特徴とする画像処理装置。
【請求項２】
前記文書画像は、ビットマップで表現されることを特徴とする請求項１に記載の画像処理装置。
【請求項３】
前記文書画像は、ページ記述言語で表現されており、
前記縮小手段及び前記文字位置変更手段は、前記ページ記述言語を変更することを特徴とする請求項１に記載の画像処理装置。
【請求項４】
前記縮小手段は、予め定めた範囲内における複数の文字の文字幅の合計値に対する前記文字間の距離の割合に応じて、前記範囲内における各文字に文字幅の不足分を配分することを特徴とする請求項１乃至３のいずれか１項に記載の画像処理装置。
【請求項５】
前記予め定めた範囲は、行毎、列毎、又は単語毎に規定される範囲であることを特徴とする請求項４に記載の画像処理装置。
【請求項６】
前記縮小手段は、前記範囲内の端部に近接する文字ほど文字幅が小さくなるように、前記縮小手段により縮小する縮小幅の重み付けを行うことを特徴とする請求項５に記載の画像処理装置。
【請求項７】
前記縮小手段は、前記文字の並び方向のサイズを縮小した後、前記並び方向の線幅が前記文字の並び方向に直交する方向の線幅と同一となるように、前記文字の並び方向に画素を付加することを特徴とする請求項４に記載の画像処理装置。
【請求項８】
前記縮小手段は、前記文字幅の不足分を配分する際に、整数のみで演算することを特徴とする請求項４又は５に記載の画像処理装置。
【請求項９】
前記判定手段で前記文字間の距離が前記閾値より小さいと判定された部位が行又は列内に存在する場合には、前記行又は列の他の文字において、前記文字間の距離が前記閾値以上であると判定された部位を検索し、該部位が有る場合には、前記閾値より小さいと判定された部位の前記文字間の距離が前記閾値以上となるように該文字間の距離を調整する調整手段を更に備え、
前記縮小手段は、前記判定手段によって、前記文字間の距離が前記閾値以上であると判定された部位が前記行又は列内に無い場合、又は前記調整手段によって、文字幅の不足分を補うことができない場合にのみ前記文字の並び方向のサイズを縮小することを特徴とする請求項１に記載の画像処理装置。
【請求項１０】
前記判定手段は、前記文字間の距離が前記閾値より小さいと判定された部位が行又は列内に存在する場合には、前記行又は列の端部と出力用紙の端部との間の距離が規定値より大きいか否かを更に判定し、
前記判定手段によって、前記行又は列の端部と出力用紙の端部との間の距離が前記規定値より大きいと判定された場合には、該行又は列の前記テキスト領域を前記文字の並び方向に拡張して、前記文字間の距離が前記閾値以上となるように、前記文字間の距離を調整する調整手段を更に備え、
前記縮小手段は、前記行又は列の端部と前記出力用紙の端部との間の距離が前記規定値以下である場合にのみ、前記文字の並び方向のサイズを縮小することを特徴とする請求項１に記載の画像処理装置。
【手続補正２】
【補正対象書類名】明細書
【補正対象項目名】０００５
【補正方法】変更
【補正の内容】
【０００５】
本発明においては、文書画像中の文字間の距離を変更することで、情報を埋め込む画像処理装置であって、前記文書画像中のテキスト領域を判別する判別手段と、該判別手段により判別されたテキスト領域内の各文字の外接矩形を抽出する外接矩形抽出手段と、抽出した各外接矩形の位置とサイズに基づいて、文字間の距離が閾値より小さい部位が有るか否かを判定する判定手段と、該判定手段で前記閾値より小さいと判定された部位の前記文字間の距離を前記閾値以上とすべく、少なくとも当該文字の並び方向のサイズを縮小する縮小手段と、前記判定手段で前記閾値以上と判定された部位の文字、及び前記縮小手段による縮小後の文字の位置を、埋め込み対象の情報に従って変更する文字位置変更手段と、を備えることを特徴とする画像処理装置が提供される。
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
画像データのエッジ画像データを生成する生成手段と、
前記エッジ画像データに平滑化処理を施して平滑化画像データを生成する平滑化手段と、
前記平滑化画像データの濃度分布に応じた密度分布の格子点を設定する設定手段と、
スクリーンを前記格子点を囲む多角形にボロノイ分割する分割手段と、
前記多角形の形状に基づく閾値マトリクスを作成する作成手段と、
前記閾値マトリクスを用いて前記画像データをハーフトーン処理するハーフトーン処理手段とを有することを特徴とする画像処理装置。
【請求項２】
さらに、前記平滑化画像データの濃度を調整する調整手段を有することを特徴とする請求項1に記載された画像処理装置。
【請求項３】
前記設定手段は、前記平滑化画像データの濃度が高い領域に対して、前記格子点の密度を高く設定することを特徴とする請求項1または請求項2に記載された画像処理装置。
【請求項４】
前記分割手段は、前記ボロノイ分割によって形成した多角形の重心を母点とするボロノイ分割を繰り返すことを特徴とする請求項1から請求項3の何れか一項に記載された画像処理装置。
【請求項５】
前記作成手段は、前記多角形を画像形成装置のドットサイズに応じて分割した前記閾値マトリクスを作成し、前記閾値マトリクスの各セルに画像データと比較する閾値を設定することを特徴とする請求項1から請求項3の何れか一項に記載された画像処理装置。
【請求項６】
さらに、前記画像データを空間分割したバンド画像の画像データを順次入力する入力手段を有し、前記生成手段、前記平滑化手段、前記設定手段、前記分割手段および前記作成手段は二つのバンド画像単位に処理を実行することを特徴とする請求項1に記載された画像処理装置。
【請求項７】
生成手段、平滑化手段、設定手段、分割手段、作成手段、ハーフトーン処理手段を有する画像処理装置の画像処理方法であって、
前記生成手段が画像データのエッジ画像データを生成し、
前記平滑化手段が前記エッジ画像データに平滑化処理を施して平滑化画像データを生成し、
前記設定手段が前記平滑化画像データの濃度分布に応じた密度分布の格子点を設定し、
前記分割手段がスクリーンを前記格子点を囲む多角形にボロノイ分割し、
前記作成手段が前記多角形の形状に基づく閾値マトリクスを作成し、
前記ハーフトーン処理手段が前記閾値マトリクスを用いて前記画像データをハーフトーン処理することを特徴とする画像処理方法。
【請求項８】
コンピュータを請求項1から請求項6の何れか一項に記載された画像処理装置の各手段として機能させることを特徴とするプログラム。
【手続補正２】
【補正対象書類名】明細書
【補正対象項目名】０００８
【補正方法】変更
【補正の内容】
【０００８】
本発明は、ボロノイ分割を用いて、エッジ部を含む画像を適切にハーフトーン処理することを目的とする。
【手続補正３】
【補正対象書類名】明細書
【補正対象項目名】００１１
【補正方法】変更
【補正の内容】
【００１１】
本発明にかかる画像処理は、画像データのエッジ画像データを生成し、前記エッジ画像データに平滑化処理を施して平滑化画像データを生成し、前記平滑化画像データの濃度分布に応じた密度分布の格子点を設定し、スクリーンを前記格子点を囲む多角形にボロノイ分割し、前記多角形の形状に基づく閾値マトリクスを作成し、前記閾値マトリクスを用いて前記画像データをハーフトーン処理することを特徴とする。
【手続補正４】
【補正対象書類名】明細書
【補正対象項目名】００１２
【補正方法】変更
【補正の内容】
【００１２】
本発明によれば、ボロノイ分割を用いて、エッジ部を含む画像を適切にハーフトーン処理することができる。
【手続補正５】
【補正対象書類名】明細書
【補正対象項目名】００２１
【補正方法】変更
【補正の内容】
【００２１】
半導体レーザ素子などのビーム光源27から出力された光ビーム26は、球面系あるいはアナモフィック光学系によるコリメータレンズ28を介して回転多面鏡25の反射面に入射する。回転多面鏡25の回転により偏向された光ビーム26は、f-θレンズなどの結像レンズ29を介して、回転する感光ドラム30上に結像し、感光ドラム30上を光走査する。
【手続補正６】
【補正対象書類名】明細書
【補正対象項目名】００４５
【補正方法】変更
【補正の内容】
【００４５】
網点を成長させる方法は色々あるが、例えば、濃度に比例した面積のボロノイ多角形に略相似の領域を塗り潰せばよい。つまり、濃度が100%（8ビットデータの場合は255）であればボロノイ多角形内をすべて塗り潰し、濃度が0%の場合は塗り潰しを行わない。中間濃度A%であれば面積がA%の、ボロノイ多角形に略相似の領域を塗り潰す。塗り潰しはプリンタ12が記録可能なドット（例えば最小ドット）単位に行う。
【手続補正７】
【補正対象書類名】明細書
【補正対象項目名】００５９
【補正方法】変更
【補正の内容】
【００５９】
図19(a)、図20(a)、図21(a)を比べると、格子点の局所的な不均一が緩和されていることがわかる。また、図19(c)と図20(c)を参照すると、CVT後の母点（格子点）と重心点のずれが少ないことがわかる。CVTの繰り返し回数は任意であるが、母点と重心点のずれが所定の閾値以下になった場合にCVTの繰り返しを終了すればよい。
【手続補正８】
【補正対象書類名】明細書
【補正対象項目名】００６０
【補正方法】変更
【補正の内容】
【００６０】
［文字画像の処理］
図22はグレイの背景上に描かれた小さな文字画像の一例を示す図である。図23は図22に示す文字画像のエッジ画像を示す図で、ラプラシアンフィルタをエッジ抽出フィルタに用いている。図24は図23に示すエッジ画像の平滑化画像を示す図である。図25は平滑化画像の濃度に応じて格子点を導入した様子を示す図である。図26は図25から格子点を取り出した様子を示す図である。このように、文字のエッジ部に対応する格子点の密度が高くなる。
【手続補正９】
【補正対象書類名】明細書
【補正対象項目名】００６２
【補正方法】変更
【補正の内容】
【００６２】
図29は、図22の文字画像の一部を拡大して、最終的な格子点とボロノイ多角形を重ねて表示した図である。図30は図29のボロノイ多角形の領域を濃度に応じて塗り潰して得られるハーフトーン画像を示す図である。これらの図から、文字画像のエッジ部には、高い密度で格子点が配置され、その結果、小面積のボロノイ多角形が網点領域として構成されることがわかる。つまり、文字線画のエッジのように空間周波数が高い画像領域には細かい網点が配置される。また、濃度変化が滑らかな階調が連続する画像領域にはほぼ所定間隔に比較的大きい網点が配置される。従って、文字線画と写真画像などが混在する文書画像について、領域分割を行わずに、文字領域のエッジをシャープに、写真領域の階調性を滑らかに再現する、高画質な印刷が可能になる。
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
外部機器に接続するための接続端子を有する映像表示装置であって、
映像表示装置に接続された外部機器に映像データを送信するための送信手段と、
前記送信手段に接続され、該映像表示装置の背面に配置された第１の接続端子と、
前記送受信手段に接続され、前記映像表示装置の背面以外の側面に配置された第２の接続端子と、
ユーザにより前記第２の接続端子に接続された外部機器への映像データの送信を指示されない限り、前記第２の接続端子に接続された外部機器へ映像データが送信されないように前記送信手段を制御する制御手段と、を有することを特徴とする映像表示装置。
【請求項２】
前記制御手段は、ユーザにより前記第２の接続端子に接続された外部機器への映像データの送信を指示された場合であって、前記第２の接続端子と外部機器との接続が解除されていること、前記映像表示装置の電源が入っていないこと、またはユーザによる前記第２の接続端子に接続された前記外部機器へ映像データを送信する前記指示が取り消されたことのうち少なくとも何れかを検出した場合に、前記第２の接続端子に接続された外部機器へ映像データが送信されないように前記送信手段を制御することを特徴とする請求項１に記載の映像表示装置。
【請求項３】
前記制御手段は、ユーザにより前記第２の接続端子に接続された外部機器への映像データの送信を指示されない場合、前記第１の接続端子に接続された外部機器へ映像データが送信されるように前記送信手段を制御することを特徴とする請求項１に記載の映像表示装置。
【請求項４】
前記制御手段は、ユーザ操作にもとづき、前記接続端子から前記映像データを送信するように前記送信手段を制御するとともに、前記外部映像機器に対して前記映像データの録画動作を指示することを特徴とする請求項１記載の映像表示装置。
【請求項５】
前記映像表示装置は、放送信号を受信する受信手段と、映像データを記録する記録手段とを有し、
前記送信手段により外部機器に送信される映像データは、前記放送信号に含まれる映像データ、または前記記録手段に記録した映像データであることを特徴とする請求項１乃至４のいずれか１項に記載の映像表示装置。
【請求項６】
映像表示装置の背面に配置された第１の接続端子と、前記映像表示装置の背面以外の側面に配置された第２の接続端子とを有する映像表示装置の制御方法であって、
前記第１の接続端子及び前記第２の接続端子に接続された前記外部機器に映像データを送信するための送信ステップと、
ユーザにより前記第２の接続端子に接続された外部機器への映像データの送信を指示されない限り、前記第２の接続端子に接続された外部機器へ前記映像データが送信されないように制御する制御ステップを有することを特徴とする映像表示装置の制御方法。
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
充電できる電池を内蔵する携帯機器(20)を嵌合状態で脱着できるように装着する装着部(2)を有するケース(1)と、
このケース(1)内に設けられて、装着部(2)にセットされる携帯機器(20)の電源端子(21)に接触される端子部(3A)を有する一対のスプリング線(3)と、
各々のスプリング線(3)に連結されると共に、一端部には装着部(2)に装着される携帯機器(20)に押される突出部(7)を有し、その突出部(7)が押されて各々のスプリング線(3)の端子部(3A)を装着部(2)に突出させるようにケース(1)内に傾動自在に配設している一対の傾動体(4)とを備え、
この傾動体(4)は、一端に突出部(7)を設けて他端を連結端(8)として、この連結端(8)を互いに傾動自在であって長手方向に移動自在に連結して一対の傾動体(4)を直線状に配列しており、さらに、各々の傾動体(4)は同一のてこ比となるように中間を支点として傾動自在にケース(1)に連結されて、支点と連結端(8)との間にスプリング線(3)の端子部(3A)を配設しており、
前記装着部(2)に携帯機器(20)が装着されない状態では、傾動体(4)の突出部(7)が装着部(2)に突出されて、傾動体(4)がスプリング線(3)の端子部(3A)をケース(1)内の引き込み位置とし、
前記装着部(2)に携帯機器(20)が装着されて、傾動体(4)の突出部(7)が押されると、傾動体(4)が傾動して、スプリング線(3)の端子部(3A)が携帯機器(20)の電源端子(21)に接触するようにケース(1)の装着部(2)に突出されるようにしてなる充電台。
【請求項２】
前記ケース(1)の装着部(2)の底部に、突出部(7)とスプリング線(3)の端子部(3A)を突出させている請求項１に記載される充電台。
【請求項３】
前記ケース(1)の装着部(2)が、携帯機器(20)を横長の姿勢でセットする形状であって、突出部(7)と端子部(3A)が装着部(2)の底面に突出すると共に、突出部(7)を装着部(2)の両端部に配設している請求項２に記載される充電台。
【請求項４】
前記ケース(1)の装着部(2)の両側端部の内面に、携帯機器(20)を係止する係止フック(12)を設けている請求項１に記載される充電台。
【請求項５】
前記一対の傾動体(4)が、一方の連結端(8)に連結凸部(10)を設けており、この連結凸部(10)を案内するスリット(11)を、他方の連結端(8)に設けており、連結凸部(10)をスリット(11)に入れて、連結端(8)を長手方向に移動自在に連結している請求項１に記載される
充電台。
【請求項６】
充電できる電池を内蔵する携帯機器(20)を嵌合状態で脱着できるように装着する装着部(2)を有するケース(1)と、
このケース(1)内に設けられて、装着部(2)にセットされる携帯機器(20)の電源端子(21)に接触される端子部(3A)を有する一対のスプリング線(3)と、
一方のスプリング線(3)に連結されると共に、一端部には装着部(2)に装着される携帯機器(20)の装着により押される突出部(7)を有し、その突出部(7)が押されて各々のスプリング線(3)の端子部(3A)を装着部(2)に突出させるようにケース(1)内に傾動自在に配設している一方の傾動体(4)とを備え、
他方のスプリング線(3)に連結されると共に、他方のスプリング線(3)の端子部(3A)を装着部(2)に突出させるようにケース(1)内に傾動自在に配設している他方の傾動体(4)とを備え、
一方の傾動体(4)は、一端に突出部(7)を設けて他端を連結端(8)として、他方の傾動体(4)は、一端と他端を備えて他端を連結端(8)として、この連結端(8)を互いに傾動自在であって長手方向に移動自在に連結して傾動体(4)を直線状に配列しており、傾動体(4)は中間を支点として傾動自在にケース(1)に連結されて、支点と連結端(8)との間にスプリング線(3)の端子部(3A)を配設しており、
前記装着部(2)に携帯機器(20)が装着されない状態では、傾動体(4)がスプリング線(3)の端子部(3A)をケース(1)内の引き込み位置とし、
前記装着部(2)に携帯機器(20)が装着されて、傾動体(4)の突出部(7)が押されると、傾動体(4)が傾動して、スプリング線(3)の端子部(3A)が携帯機器(20)の電源端子(21)に接触するようにケース(1)の装着部(2)に突出されるようにしてなる充電台。
【手続補正２】
【補正対象書類名】明細書
【補正対象項目名】００１３
【補正方法】変更
【補正の内容】
【００１３】
本発明の請求項５の充電台は、一対の傾動体４が、一方の連結端８に連結凸部１０を設けており、この連結凸部１０を案内するスリット１１を、他方の連結端８に設けており、連結凸部１０をスリット１１に入れて、連結端８を長手方向に移動自在に連結している。
また、本発明の請求項６の充電台は、充電できる電池を内蔵する携帯機器２０を嵌合状態で脱着できるように装着する装着部２を有するケース１と、このケース１内に設けられて、装着部２にセットされる携帯機器２０の電源端子２１に接触される端子部３Ａを有する一対のスプリング線３と、一方のスプリング線３に連結されると共に、一端部には装着部２に装着される携帯機器２０の装着により押される突出部７を有し、その突出部７が押されて各々のスプリング線３の端子部３Ａを装着部２に突出させるようにケース１内に傾動自在に配設している一方の傾動体４とを備え、他方のスプリング線３に連結されると共に、他方のスプリング線３の端子部３Ａを装着部２に突出させるようにケース１内に傾動自在に配設している他方の傾動体４とを備え、一方の傾動体４は、一端に突出部７を設けて他端を連結端８として、他方の傾動体４は、一端と他端を備えて他端を連結端８として、この連結端８を互いに傾動自在であって長手方向に移動自在に連結して傾動体４を直線状に配列しており、傾動体４は中間を支点として傾動自在にケース１に連結されて、支点と連結端８との間にスプリング線３の端子部３Ａを配設しており、前記装着部２に携帯機器２０が装着されない状態では、傾動体４がスプリング線３の端子部３Ａをケース１内の引き込み位置とし、前記装着部２に携帯機器２０が装着されて、傾動体４の突出部７が押されると、傾動体４が傾動して、スプリング線３の端子部３Ａが携帯機器２０の電源端子２１に接触するようにケース１の装着部２に突出されるようにしてなる。
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
交流電源に接続された整流回路と、前記整流回路の入力側又は出力側に接続されたリアクトルと、前記リアクトルに対するエネルギの蓄積及び放出を切り換えるべくオンオフ動作を行うスイッチング素子と、を備えた直流電源装置であって、
前記交流電源の電圧のゼロクロス点を基準として、前記リアクトルに対するエネルギを蓄積させる期間である第１期間を、該直流電源装置の負荷の状態に応じて設定する期間設定手段と、
該直流電源装置の負荷が予め設定された第１閾値以上である場合に、前記期間設定手段によって設定された第１期間内において、予め設定された所定のタイミングで前記スイッチング素子を２以上の予め設定された所定回数だけオン状態とするべく、前記スイッチング素子に対して指示信号を出力する供給指示手段と、
前記所定回数の前記スイッチング素子をオン状態とする期間であるオン期間を、それぞれ、前記第１期間内において前回設定されたオン期間よりも短いオン期間に設定するオン期間設定手段と、
を備え、
前記供給指示手段は、前記オン期間設定手段によって設定された前記所定回数分のオン期間だけ前記スイッチング素子をオン状態とするべく、前記スイッチング素子に対して指示信号を出力することを特徴とする直流電源装置。
【請求項２】
前記所定回数分のオン期間の開始タイミングを、前記第１期間の開始点を起点とする予め設定された所定周期毎に設定する開始時点設定手段を備え、
前記供給指示手段は、前記開始時点設定手段によって設定された開始タイミングで、前記スイッチング素子をオン状態とするべく、前記スイッチング素子に対して指示信号を出力することを特徴とする請求項１に記載の直流電源装置。
【請求項３】
前記期間設定手段は、該直流電源装置の負荷が予め設定され前記第１閾値より大きい第２閾値以上である場合に、前記第１期間に加えて、隣接するゼロクロス点間の後半部に含まれ、前記リアクトルに対するエネルギを蓄積させる期間である第２期間を設定し、
前記オン期間設定手段は、前記期間設定手段によって第２期間が設定された場合に、設定された第２期間内において、前記スイッチング素子をオン状態とする期間であるオン期間を設定することを特徴とする請求項１または２に記載の直流電源装置。
【請求項４】
前記リアクトルに流れる電流を検出する電流検出手段と、
前記電流検出手段によって検出される電流が、前記交流電源から供給される電圧に対して位相が進んでいるか否かを判定する位相判定手段と、
を備え、
前記期間設定手段は、前記位相判定手段によって位相が進んでいると判定された場合に、前記第１期間に加えて、隣接するゼロクロス点間の後半部に含まれ、前記リアクトルに対するエネルギを蓄積させる期間である第２期間を設定し、
前記オン期間設定手段は、前記期間設定手段によって第２期間が設定された場合に、設定された第２期間内において、前記スイッチング素子をオン状態とする期間であるオン期間を設定することを特徴とする請求項１〜請求項３のいずれかに記載の直流電源装置。
【手続補正書】
【提出日】平成22年4月15日(2010.4.15)
【手続補正１】
【補正対象書類名】明細書
【補正対象項目名】００２３
【補正方法】変更
【補正の内容】
【００２３】
以下、本発明に係る実施形態について、図面を参照して説明する。なお、同様の構成要素については同一の符号を付している。
【手続補正２】
【補正対象書類名】明細書
【補正対象項目名】００２８
【補正方法】変更
【補正の内容】
【００２８】
また、スイッチ５が接点Ｔに接続されている場合は、ミキサ４の出力は変調送信手段６によって変調され、所要の送信電力に増幅された後、送信アンテナ８に供給される。この動作も図５に示す無線中継機の動作と全く同じであるが、無線送信アンテナ８からは、受信周波数ｆ１ａ、ｆ２ａ及びｆ３ａの３個の無線電波に変調信号として含まれる３個の無線通信機の使用者の音声信号と、受信復調手段９によって復調された音声信号の和が変調された無線電波となって輻射される。このとき、送信アンテナ８から輻射される無線電波の周波数をｆｔとする。受信復調手段９の受信周波数はｆ１ａ、ｆ２ａ、ｆ３ａのいずれとも異なるため同時通話を３者で行う場合には図１に示す無線中継機を１台使用すれば、図５に示す無線中継機と全く同じ動作となる。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
筐体の一部を構成するケースと、
前記筐体の一部を構成し、内側に凹部を有するカバーと、
前記筐体内に収納されるとともに、周縁に切欠きの形成された、起立部を有する金属プレートと、
前記切欠きに対応した相対向する辺上に突起を有し、かつ、前記凹部に対応した相対向する辺上に他の突起を有する回路基板と、
を備え、
前記回路基板は、前記突起を前記切欠きに係止させることで前記金属プレートに固定され、かつ、前記他の突起を前記凹部に係止させることで前記カバーに固定される携帯端末装置。
【請求項２】
請求項１に記載の携帯端末であって、
前記筐体の側面に設けられたサイドキーを備え、
前記カバーは、前記サイドキーの設けられた側の側面の内側に前記凹部を有し、
前記金属プレートは、前記サイドキーの設けられた側面の反対側の前記起立部に前記切欠きの形成された携帯端末装置。
【請求項３】
請求項１または２に記載の携帯端末であって、
前記回路基板の主面に取り付けられたシャーシ枠と、
前記回路基板と前記金属プレートの間に介挿されるシールド蓋と、を備え、
前記シールド蓋は、前記シャーシ枠に弾性的に接触する切起し片を有する携帯端末装置。
【請求項４】
請求項３に記載の携帯端末であって、
前記シャーシ枠は、前記回路基板上に、前記回路基板上の回路を囲むように起立せしめられた携帯端末装置。
【請求項５】
請求項１乃至４のいずれかに記載の携帯端末装置であって、
前記金属プレートは、孔を有する携帯端末装置。
【請求項６】
請求項５に記載の携帯端末装置あって、
前記金属プレートは、前記回路基板上に搭載される高周波回路に対向する位置を避けて孔を形成した携帯端末装置。
【請求項７】
請求項３に記載の携帯端末装置であって、
前記切起し片は、前記シャーシ枠の枠部分に対向する位置にそれぞれ形成され、前記シャーシ枠に弾性的に接触する、携帯端末装置。
【請求項８】
請求項３に記載の携帯端末装置であって、
前記シャーシ枠は前記回路基板の外縁近傍に配設された外枠部と、前記外枠部に接触するとともに前記外枠部で囲まれた領域を複数に分割する内枠部とで構成された携帯端末装置。
【請求項９】
請求項８に記載の携帯端末装置であって、
前記切起し片は、前記シャーシ枠の内枠部に対向する位置に配設され、前記内枠部に弾性的に接触される携帯端末装置。
【請求項１０】
請求項９に記載の携帯端末装置であって、
前記切起し片は、前記シールド蓋の周縁部では、中心に向かうＶ字状の形状に切り起こして形成される携帯端末装置。
【請求項１１】
請求項９または１０に記載の携帯端末装置であって、
前記切起し片は、前記シールド蓋の中心部では、外方に向かうＶ字状の形状に切り起こして形成される携帯端末装置。
【請求項１２】
請求項１０または１１に記載の携帯端末装置であって、
前記切起し片は、それぞれ先端近傍に小突起を有する携帯端末装置。
【手続補正２】
【補正対象書類名】明細書
【補正対象項目名】０００８
【補正方法】変更
【補正の内容】
【０００８】
本発明の携帯端末装置は、筐体の一部を構成するケースと、前記筐体の一部を構成し、内側に凹部を有するカバーと、前記筐体内に収納されるとともに、周縁に切欠きの形成された、起立部を有する金属プレートと、前記切欠きに対応した相対向する辺上に突起を有し、かつ、前記凹部に対応した相対向する辺上に他の突起を有する回路基板と、を備え、前記回路基板は、前記突起を前記切欠きに係止させることで前記金属プレートに固定され、かつ、前記他の突起を前記凹部に係止させることで前記カバーに固定されることを特徴とする。
この構成によれば、シールド部材として金属プレートを用い、金属プレートを薄くすることで、携帯端末装置の薄型化を図ることができる。また、回路基板を筐体の一部を構成するカバーと金属プレートとに係止させ、落下時などの衝撃を分散させることで、耐衝撃性の高い携帯端末装置を提供することができる。また、このような構成にすることにより、作業性良く安価に携帯端末装置を組み立てることもできる。
【手続補正３】
【補正対象書類名】明細書
【補正対象項目名】００１４
【補正方法】変更
【補正の内容】
【００１４】
また、本発明は、上記携帯端末装置において、前記切起し片は、前記シャーシ枠の枠部分に対向する位置にそれぞれ形成され、前記シャーシ枠に弾性的に接触することを特徴とする。
この構成によれば、シャーシ枠に対応して設けられ、弾性的に接触する切起し片を用いているため、金属プレートに多少の反りや歪が存在しても、切起し片によりシャーシ枠に確実に接触し、シールド性能を発揮し、衝撃に対する緩衝性を高めることができる。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
本発明の携帯端末装置によれば、シールド部材として金属プレートを用い、金属プレートを薄くすることで、携帯端末装置の薄型化を図ることができる。また、回路基板を筐体の一部を構成するカバーと金属プレートとに係止させ、落下時などの衝撃を分散させることで、耐衝撃性の高い携帯端末装置を提供することができる。また、このような構成にすることにより、作業性良く安価に携帯端末装置を組み立てることができる。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数の図柄が付されると共に回動可能な回動表示体が、回動方向と交差する方向に複数並んで配置される回動表示装置と、
前記図柄を表出しうる小窓部が上端領域に形成された縦長矩形状の前面遊技部を有する筺体と、
遊技媒体を投入して行われる１回のゲーム毎に、複数の特典役、当該特典役を除く複数の一般役およびハズレ役の中からいずれかの役を選び出す内部抽選を行う抽選手段と、を備えた遊技機であって、
前記複数の回動表示体の回動を開始させ、全ての前記回動表示体の停止操作が受け付けられると、１回のゲームの結果が前記小窓部に導出されるようになっており、
前記回動表示体の停止操作が受け付けられたときに、前記内部抽選の結果が前記小窓部に導出されるように、前記各回動表示体の回動の停止を制御しうる回動停止制御手段と、
全ての前記回動表示体が停止状態となったときに、前記複数の特典役および前記複数の一般役のうちいずれかの役に入賞したか否かを判定する図柄判定手段と、
前記図柄判定手段により前記複数の一般役のうちいずれかの一般役に入賞したと判定されたときに、当該一般役の種別に対応する遊技価値を、１回のゲーム結果の賞として付与する遊技価値付与手段と、
前記抽選手段による内部抽選にて前記特典役としての特定特典役が選び出されたことを条件に、前記遊技価値としての再遊技が付与される機会が所定期間増加する特定ゲームを付与しうる特定ゲーム付与手段と、
前記抽選手段による内部抽選にて前記特典役としてのボーナス役が選び出されると、前記遊技価値としての遊技媒体が付与される機会が増加するボーナスゲームを付与するボーナスゲーム付与手段と、を備え、
前記ボーナスゲーム付与手段は、
前記ボーナス役としての特別ボーナス役の入賞が前記図柄判定手段にて判定されると、前記遊技価値としての遊技媒体が付与される機会が増加することで、遊技者にとっての有利度合いが相対的に高い特別ボーナスゲームを付与する特別ボーナスゲーム付与手段と、
前記ボーナス役としての普通ボーナス役の入賞が前記図柄判定手段にて判定されると、前記遊技価値としての遊技媒体が付与される機会が増加するものの、遊技者にとっての有利度合いが相対的に低い普通ボーナスゲームを付与する普通ボーナスゲーム付与手段と、を有し、
前記図柄判定手段は、所定の有効ラインに沿って導出された図柄の組み合わせが、前記複数の特典役および前記複数の一般役のうちいずれかの役に対応する図柄の組み合わせであるときに入賞と判定するものであって、
当該遊技機は、さらに、
前記抽選手段による内部抽選にて前記複数の一般役のうち特定一般役に当選したときに実行されうると共に、前記ボーナス役および前記特定特典役のいずれもが選び出されうるにもかかわらず、当該特定特典役が選び出された場合には無効化されて前記特定ゲームが付与されることなく、当該ボーナス役が選び出された場合にのみ前記ボーナスゲームが付与される単特典役ゲームを実行しうる単特典役ゲーム実行手段と、
前記抽選手段による内部抽選にて前記ボーナス役および前記特定特典役のいずれもが選び出されうると共に、当該選び出された役に応じて前記ボーナスゲームまたは前記特定ゲームが付与される複特典役ゲームを実行する複特典役ゲーム実行手段と、を備え、
前記複特典役ゲーム実行手段は、少なくとも、前記普通ボーナスゲームの付与終了後に前記複特典役ゲームとしての普通契機複特典役ゲームを実行する普通契機複特典役ゲーム実行手段、を有しており、
前記回動停止制御手段は、
前記内部抽選にて前記特定一般役のうち第１の特定一般役が選び出されると、当該第１の特定一般役に対応する図柄組み合わせとして、２種類の異なる種別の図柄で構成される第１の異種図柄組み合わせを前記小窓部に導出し、一方、前記内部抽選にて前記特定一般役のうち第２の特定一般役が選び出されると、当該第２の特定一般役に対応する図柄組み合わせとして、前記第１の異種図柄組み合わせと同じ種別の図柄を含む２種類の異なる図柄で構成される第２の異種図柄組み合わせを前記小窓部に導出するよう構成されており、
前記複特典役ゲームにおいては、
前記抽選手段により前記特定特典役が選び出されたことに基づく所定の図柄組み合わせが導出されると、当該複特典役ゲームと比して遊技者に有利な前記特定ゲームが前記特定ゲーム付与手段によって実行され、
前記抽選手段により前記第２の特定一般役が選び出されたことに基づいて前記第２の異種図柄組み合わせが導出されると、当該複特典役ゲームと比して遊技者に不利な前記単特典役ゲームが前記単特典役ゲーム実行手段によって実行されうるとともに、
前記普通ボーナスゲームの付与終了後に実行される前記普通契機複特典役ゲームにおいては、
前記抽選手段により前記第２の特定一般役が選び出されたことに基づいて前記第２の異種図柄組み合わせが導出された場合、前記第２の特定一般役に重複して前記ボーナス役が必ず選び出されることで、前記単特典役ゲームが実行されることなく前記ボーナスゲーム付与手段によって前記ボーナスゲームが付与されること
を特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数の図柄が付されると共に回動可能な回動表示体が、回動方向と交差する方向に複数並んで配置される回動表示装置と、
前記図柄を表出しうる小窓部が上端領域に形成された縦長矩形状の前面遊技部を有する筺体と、
遊技媒体を投入して行われる１回のゲーム毎に、複数の特典役、当該特典役を除く複数の一般役およびハズレ役の中からいずれかの役を選び出す内部抽選を行う抽選手段と、を備えた遊技機であって、
前記回動表示体の回動開始後、全ての前記回動表示体の停止操作が受け付けられると、１回のゲームの結果が前記小窓部に導出されるようになっており、
前記回動表示体の停止操作が受け付けられたときに、前記内部抽選の結果が前記小窓部に導出されるように、前記各回動表示体の回動の停止を制御しうる回動停止制御手段と、
全ての前記回動表示体が停止状態となったときに、前記複数の特典役および前記複数の一般役のうちいずれかの役に入賞したか否かを判定する図柄判定手段と、
前記図柄判定手段により前記複数の一般役のうちいずれかの一般役に入賞したと判定されたときに、当該一般役の種別に対応する遊技価値を、１回のゲーム結果の賞として付与する遊技価値付与手段と、を備え、
前記図柄判定手段は、所定の有効ラインに沿って導出された図柄の組み合わせが、前記複数の特典役および前記複数の一般役のうちいずれかの役に対応する図柄の組み合わせであるときに入賞と判定するものであって、
当該遊技機は、さらに、
前記抽選手段による内部抽選にて前記特典役としての第１の特典役が選び出されると、前記遊技価値としての遊技媒体が付与される機会が増加する第１特典ゲームを付与する第１特典ゲーム付与手段と、
前記抽選手段による内部抽選にて前記特典役としての第２の特典役が選び出されたことを条件に、前記遊技価値としての再遊技が付与される機会が所定期間増加する第２特典ゲームを付与しうる第２特典ゲーム付与手段と、
前記抽選手段による内部抽選にて前記第１の特典役および前記第２の特典役のいずれもが選び出されうると共に、当該選び出された役に応じて前記第１特典ゲームまたは前記第２特典ゲームが付与される複特典役ゲームを実行する複特典役ゲーム実行手段と、
前記抽選手段による内部抽選にて前記複数の一般役のうち特定一般役に当選したときに実行されうると共に、前記第１の特典役および前記第２の特典役のいずれもが選び出されうるにもかかわらず、当該第２の特典役が選び出された場合には無効化されて前記第２特典ゲームが付与されることなく、当該第１の特典役が選び出された場合にのみ前記第１特典ゲームが付与される単特典役ゲームを実行しうる単特典役ゲーム実行手段と、を備えており、
前記回動停止制御手段は、
前記内部抽選にて前記特定一般役のうち第１の特定一般役が選び出されると、当該第１の特定一般役に対応する図柄組み合わせとして、２種類の異なる種別の図柄で構成される第１の異種図柄組み合わせを前記小窓部に導出し、一方、前記内部抽選にて前記特定一般役のうち第２の特定一般役が選び出されると、当該第２の特定一般役に対応する図柄組み合わせとして、前記第１の異種図柄組み合わせと同じ種別の図柄を含む２種類の異なる図柄で構成される第２の異種図柄組み合わせを前記小窓部に導出するよう構成されており、
前記複特典役ゲームにおいては、
前記抽選手段により前記第２の特定一般役が選び出されたことに基づいて前記第２の異種図柄組み合わせが導出されると、当該複特典役ゲームと比して遊技者に不利な前記単特典役ゲームが前記単特典役ゲーム実行手段によって実行される一方、
前記抽選手段により前記第２の特典役が選び出されたことに基づく所定の図柄組み合わせが導出されると、当該複特典役ゲームと比して遊技者に有利な前記第２特典ゲームが前記第２特典ゲーム実行手段によって実行され、
当該第２特典ゲームにおいては、
前記抽選手段により前記第２の特定一般役が選び出されるときは当該第２の特定一般役に重複して前記第１の特典役が必ず選び出され、当該第２の特定一般役が選び出されたことに基づいて前記第２の異種図柄組み合わせが導出されると、前記単特典役ゲームが付与されることなく前記第１特典ゲーム付与手段によって遊技者に最も有利な前記第１特典ゲームが付与されること
を特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数の図柄が付されると共に回動可能な回動表示体が、回動方向と交差する方向に複数並んで配置される回動表示装置と、
前記図柄を表出しうる小窓部が上端領域に形成された縦長矩形状の前面遊技部を有する筺体と、
遊技媒体を投入して行われる１回のゲーム毎に、ボーナス役、当該ボーナス役を除く複数の一般役およびハズレ役の中からいずれかの役を選び出す内部抽選を行う抽選手段と、を備えた遊技機であって、
前記三つの回動表示体の回動を開始させ、全ての前記回動表示体の停止操作が受け付けられると、１回のゲームの結果が前記表示部に導出されるようになっており、
前記回動表示体の停止操作が受け付けられたときに、前記内部抽選の結果が前記小窓部に導出されるように、前記各回動表示体の回動の停止を制御しうる回動停止制御手段と、
全ての前記回動表示体が停止状態となったときに、前記ボーナス役および前記複数の一般役のうちいずれかの役に入賞したか否かを判定する図柄判定手段を備え、
前記図柄判定手段は、所定の有効ラインに沿って導出された図柄の組み合わせが、前記ボーナス役および前記複数の一般役のうちいずれかの役に対応する図柄の組み合わせであるときに入賞と判定するものであって、
当該遊技機は、さらに、
前記図柄判定手段により前記ボーナス役に入賞したと判定されたときに、前記遊技価値としての遊技媒体が付与される機会が増加するボーナスゲームを実行するボーナスゲーム実行手段と、
前記図柄判定手段により前記複数の一般役のうちいずれかの一般役に入賞したと判定されたときに、当該一般役の種別に対応する遊技価値を、１回のゲーム結果の賞として付与する遊技価値付与手段と、
前記図柄判定手段により前記複数の一般役のうち特定一般役に入賞したと判定されたときに、前記遊技価値としての再遊技が付与される機会が所定期間増加して遊技者に相対的に有利となる特定ゲームを実行しうる特定ゲーム実行手段と、
前記図柄判定手段により前記複数の一般役のうち特殊一般役に入賞したと判定されたときに、前記特定一般役に入賞したとしても前記特定ゲームが付与されることがなく遊技者に相対的に不利となる特殊ゲームを実行しうる特殊ゲーム実行手段と、を備えており、
前記回動停止制御手段は、
前記内部抽選にて前記特定一般役のうち第１の特定一般役が選び出されると、当該第１の特定一般役に対応する図柄組み合わせとして、２種類の異なる種別の図柄で構成される第１の異種図柄組み合わせを前記小窓部に導出し、一方、前記内部抽選にて前記特定一般役のうち第２の特定一般役が選び出されると、当該第２の特定一般役に対応する図柄組み合わせとして、前記第１の異種図柄組み合わせと同じ種別の図柄を含む２種類の異なる図柄で構成される第２の異種図柄組み合わせを前記小窓部に導出するよう構成されており、
前記抽選手段により前記第２の特定一般役が選び出されたことに基づいて前記第２の異種図柄組み合わせが導出されると、前記特定ゲーム実行手段によって遊技者に相対的に有利な前記特定ゲームが実行される一方、
前記抽選手段により前記特殊一般役が選び出されたことに基づく所定の図柄組み合わせが導出されると、前記特殊ゲーム実行手段によって遊技者に相対的に不利な前記特殊ゲームが実行され、
当該特殊ゲームにおいては、
前記抽選手段により前記第２の特定一般役が選び出されて前記第２の異種図柄組み合わせが導出されたとしても前記特定ゲームが実行されない一方で、
前記抽選手段により当該第２の特定一般役に重複して前記ボーナス役が選び出された場合には、当該第２の特定一般役が選び出されたことに基づいて前記第２の異種図柄組み合わせが導出されると、前記ボーナスゲーム実行手段によって前記特定ゲームよりも遊技者に有利な前記ボーナスゲームが付与される
ことを特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
遊技媒体を投入して行われる１回のゲーム毎に、複数の特典役、当該特典役を除く複数の一般役およびハズレ役の中からいずれかの役を選び出す内部抽選を行う抽選手段と、
複数の図柄が付されると共に回動可能な回動表示体が、回動方向と交差する方向に複数並んで配置される回動表示装置と、
前記図柄を表出しうる小窓部が上端領域に形成された縦長矩形状の前面遊技部を有する筺体と、を備え、
前記複数の回動表示体の回動を開始させ、全ての前記回動表示体の停止操作が受け付けられると、１回のゲームの結果が前記小窓部に導出される遊技機であって、
前記回動表示体の停止操作が受け付けられたときに、前記内部抽選の結果が前記小窓部に導出されるように、前記各回動表示体の回動の停止を制御しうる回動停止制御手段と、
全ての前記回動表示体が停止状態となったときに、前記複数の特典役および前記複数の一般役のうちいずれかの役に入賞したか否かを判定する図柄判定手段と、
前記図柄判定手段により前記複数の一般役のうちいずれかの一般役に入賞したと判定されたときに、当該一般役の種別に対応する遊技価値を、１回のゲーム結果の賞として付与する遊技価値付与手段と、
前記抽選手段による内部抽選にて前記特典役としてのボーナス役が選び出されると、前記遊技価値としての遊技媒体が付与される機会が増加するボーナスゲームを付与するボーナスゲーム付与手段と、
前記抽選手段による内部抽選にて前記特典役としての特定特典役が選び出されたことを条件に、前記遊技価値としての再遊技が付与される機会が所定期間増加する特定ゲームを付与しうる特定ゲーム付与手段と、
前記抽選手段による内部抽選にて前記複数の一般役のうち特定一般役に当選したときに実行されうると共に、前記ボーナス役および前記特定特典役のいずれもが選び出されうるにもかかわらず、当該特定特典役が選び出された場合には無効化されて前記特定ゲームが付与されることなく、当該ボーナス役が選び出された場合にのみ前記ボーナスゲームが付与される単特典役ゲームを実行しうる単特典役ゲーム実行手段と、
前記抽選手段による内部抽選にて前記ボーナス役および前記特定特典役のいずれもが選び出されうると共に、当該選び出された役に応じて前記ボーナスゲームまたは前記特定ゲームが付与される複特典役ゲームを実行する複特典役ゲーム実行手段と、を備え、
前記複特典役ゲーム実行手段は、少なくとも、前記ボーナスゲームの付与終了後に前記複特典役ゲームとしてのボーナス契機複特典役ゲームを実行するボーナス契機複特典役ゲーム実行手段を有し、
前記内部抽選にて前記複数の一般役のうち特定一般役が選び出されたとき、
前記回動停止制御手段は、
前記特定一般役のうち第１の特定一般役であるときは、当該第１の特定一般役に対応する図柄組み合わせとして、２種類の異なる種別の図柄で構成される第１の異種図柄組み合わせを前記小窓部に導出し、
前記特定一般役のうち第２の特定一般役であるときは、当該第２の特定一般役に対応する図柄組み合わせとして、前記第１の異種図柄組み合わせと同じ種別の図柄を含む２種類の異なる図柄で構成される第２の異種図柄組み合わせを前記小窓部に導出するよう構成されており、
前記ボーナスゲームの付与終了後に実行される前記ボーナス契機複特典役ゲームにおいては、
前記抽選手段により前記特定特典役が選び出されたことに基づく所定の図柄組み合わせが導出されると、前記特定ゲーム付与手段によって前記複特典役ゲームに比して遊技者に有利な前記特定ゲームが付与され、
前記抽選手段により前記第２の特定一般役が選び出されたことに基づいて前記第２の異種図柄組み合わせが導出されると、前記単特典役ゲーム実行手段によって前記複特典役ゲームに比して遊技者に不利な前記単特典役ゲームが実行される一方、
前記抽選手段により前記第２の特定一般役に重複して前記ボーナス役が選び出された場合には、当該第２の特定一般役が選び出されたことに基づいて前記第２の異種図柄組み合わせが導出されると、前記単特典役ゲームが付与されることなく前記ボーナスゲーム付与手段によって遊技者に最も有利な前記ボーナスゲームが付与される
ことを特徴とする遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
前記演出表示装置は、液晶ディスプレイである
請求項１または２に記載の遊技機。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
遊技媒体を用いて１ゲームに対して所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされたスロットマシンであって、
ゲームを開始させる際に操作されるゲーム開始操作手段と、
前記所定数の賭数が設定されたことを条件に前記ゲーム開始操作手段の操作を有効化するゲーム開始有効化手段と、
遊技媒体の付与を伴う小役入賞が発生したときに、該小役入賞に応じた数の遊技媒体を付与する付与手段と、
外部出力信号を出力するための制御を行う外部出力制御手段と、
を備え、
前記付与手段は、
前記小役入賞が発生したときに、該小役入賞に応じて付与された遊技媒体の払出を行う払出手段と、
前記払出手段による遊技媒体の払出を検出する払出検出手段と、
を含み、
前記外部出力制御手段は、
前記ゲーム開始操作手段が操作され、ゲームを開始するときに、賭数の設定に用いられた遊技媒体数を示す使用信号を外部出力信号として出力する使用信号出力制御手段と、
前記小役入賞の発生により付与された遊技媒体が前記払出手段によって払い出される場合に、前記払出検出手段が遊技媒体を１つ検出する毎に１つの遊技媒体が付与された旨を示す付与信号を外部出力信号として出力する付与信号出力制御手段と、
を含む
ことを特徴とするスロットマシン。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】